(57)【要約】
【課題】コンパクトに構成して、街頭で配布する際に、受渡ししやすい情報誌を提供すること。
【解決手段】シート１０の表面と裏面とに数多くの主情報を掲載して、横方向と縦方向とに縦折り線１３ａと横折り線１３ｂを入れて奇数行と奇数列の折り片１４を形成し、各折り線１３に沿って順次折り畳むことによって短冊状の折り畳まれた情報誌１を形成する。折り畳まれた情報誌１は、表紙１１と裏表紙１２とが、シート１０の表面に配置する角部の折り片１４と、その折り片１４の対角状に配置する裏面の角部の折り片１４とが現れるようにして、表紙１１と裏表紙１２には、主情報とは関連のない発行元記載内容又は案内情報を掲載する。
【選択図】図３                                                                               
0003099325.tif 000002
【実用新案登録請求の範囲】
【請求項１】
シートの表面と裏面に、目的とする主情報及び前記主情報とは関連のない発行元記載内容又は案内情報を盛り込んで印刷される情報誌であって、
　縦方向と横方向とにそれぞれ偶数の折り線をいれて奇数行・奇数列の折り片を有するように形成して、表面の角部の折り片とその対角上における対称位置となる裏面の角部との折り片が、折り畳まれた短冊状の折り畳みシートの表紙と裏表紙とになるように配置されるとともに、前記表紙及び前記裏表紙には、前記発行元記載内容又は前記案内情報を掲載することを特徴とする情報誌。
【請求項２】
前記シートは、Ｂ２用紙版であり、横９列・縦３行の折り片を有するように折り線が形成されることを特徴とする請求項１記載の情報誌。
【請求項３】
前記シートは横方向に山折り・谷折りが連続的に繰り返されて折り畳まれ、その後、縦方向にＺ折りで折り畳まれることを特徴とする請求項１又は２記載の情報誌。
【請求項４】
前記表紙が掲載される第１列目と、第２列目との間の折り線にはミシン目が形成され、裏面には前記発行元記載内容または前記案内情報が掲載されていることを特徴とする請求項１，２又は３記載の情報誌。
【請求項５】
前記第１列目には、縦方向と横方向に複数のミシン目が形成され、裏面に複数のクーポン券が切り離し可能に掲載されていることを特徴とする請求項４記載の情報誌。
【請求項６】
前記第１列目以外の表面と裏面には、前記主情報が掲載されていることを特徴とする請求項１，２，３，４又は５記載の情報誌。
【請求項７】
前記折り畳みシートは、エンドレス状の帯部材で束ねられることを特徴とする請求項１，２，３，４，５又は６記載の情報誌。
【考案の詳細な説明】
【技術分野】
【０００１】
　本考案は、多種類の情報を掲載して街頭で配布する情報誌に関し、さらには小さく折り畳まれた情報誌に関する。
【背景技術】
【０００２】
　一般に、街頭で配布する情報誌は、情報誌が配布される付近の地域におけるショッピングに関する情報、飲食店舗に関する情報、美容に関する情報、アクセサリーに関する情報等、あらゆる内容が盛り込まれて配布されている。これらの情報は身近な情報が多く、特に女性に好まれる内容が数多く掲載されていて、人の多く集まる場所や、通勤コース等で無料で配布されて多くの人に読まれている。従来の情報誌２０は、図７に示すように、一端側をステープルで綴じ込んで１頁ごと捲るようにした雑誌状のものや、新聞形式として形成されているものが多い。
【０００３】
　しかし、雑誌状の情報誌２０は、情報内容が数多く掲載されて内容が豊富であるにもかかわらず、Ａ４版の大きさに形成されて厚みも厚く形成されていることが多いことから、配布された情報誌２０を歩行中に所持しにくく、受渡しを拒否されたり、受け渡された情報誌２０をゴミ箱に捨てたりすることも決して少なくなかった。そのため、歩行者に受け取りやすいように、コンパクトに折り畳まれた状態で情報誌を配布することが検討されていた。
【０００４】
　一方、印刷物を折り畳むことに関しては、特許文献１及び特許文献２によって知られているものがある。
【０００５】
　例えば、特許文献１によれば、この印刷物は地図であって、折り畳まれた地図は繰り返し広げたり折り畳んだりすることから、折り目が損傷しやすく、そのために折り目が損傷しないように工夫されている。つまり、シートの上下２分割するように左右方向の折り線を入れ、左右方向を複数に分割するために上下方向の折り線を複数入れ、左右方向の折り線の両端を除いて中央部にスリットを形成している。そして各折り線に沿って山折り・谷折りを繰り返すことによって、１ページごと捲ることができるようなページ捲り状の折り畳み地図が完成する。この地図では、１ページごと捲ることによって部分的な地図を開くことができる。
【０００６】
　また、特許文献２によれば、この印刷物は封筒を形成するものであって、折り畳み封緘した広告印刷物中に封筒部を設けるようにしている。つまり、横方向に長尺のシートに対して縦方向に複数の折り線を入れ、横方向に対して半分の折り片を封筒部としてその４周に水糊部を形成する。そして順に折り畳むことによって折り畳み方向に開口部を有する封筒を形成することができる。
【特許文献１】特開平１０−９５１８１号公報(３〜５頁、図１〜３参照)
【特許文献２】特開平５−１３９４４９号公報(２〜３頁、図１参照)
【考案の開示】
【考案が解決しようとする課題】
【０００７】
　しかし、情報誌の場合、手渡す際には各情報の内容を見せないように折り畳むことが、開封する楽しみを持たせることになるから望ましく、そのために、折り畳まれた表紙と裏表紙には、発行元の案内を表示して、どこの発行先かを印象付ける必要がある。それによって、例えば、月ごとのシリーズ化を図ることもできる。
【０００８】
　特許文献１の印刷物は、広げたり折りたたんだりすることを繰り返して行うために少なくとも一部にスリットを形成することから、開封した後、必要な情報の一部が切り取られて見にくいこととなり、また、スリットから他の部位に徐々に切断されて情報誌としての機能を達成できない虞れがある。
【０００９】
　また、特許文献２の印刷物は、封筒を形成するために、もともとのシートを大きくすることができない。従って多くの情報を掲載することができず、ボリュームのある情報誌としての機能を達成できない。
【課題を解決するための手段】
【００１０】
　本考案は、上述の課題を解決するものであり、多くの情報を掲載して手ごろの大きさに折り畳むことができ、配布しやすいように形成するとともに中身情報を即座に読みたがる情報誌を提供することを目的とするものであり、本考案に係る情報誌は、上記の課題を解決するために、以下のように構成するものである。すなわち、
　請求項１記載の考案では、シートの表面と裏面に、目的とする主情報及び前記主情報とは関連のない発行元記載内容又は案内情報を盛り込んで印刷される情報誌であって、
　縦方向と横方向とにそれぞれ偶数の折り線をいれて奇数行・奇数列の折り片を有するように形成して、表面の角部の折り片とその対角上における対称位置となる裏面の角部との折り片が、折り畳まれた短冊状の折り畳みシートの表紙と裏表紙とになるように配置されるとともに、前記表紙及び前記裏表紙には、前記発行元記載内容又は前記案内情報を掲載することを特徴とするものである。
【００１１】
　また、請求項２記載の考案では、前記シートは、Ｂ２用紙版であり、横９列・縦３行の折り片を有するように折り線が形成されることを特徴としている。
【００１２】
　請求項３記載の考案では、前記シートは横方向に山折り・谷折りが連続的に繰り返されて折り畳まれ、その後、縦方向にＺ折りで折り畳まれることを特徴としている。
【００１３】
　さらに請求項４記載の考案では、前記表紙が掲載される第１列目と、第２列目との間の折り線にはミシン目が形成され、第１列目の裏面には前記発行元記載内容又は前記案内情報が掲載されていることを特徴としている。
【００１４】
　また、請求項５記載の考案では、前記第１列目には、縦方向と横方向に複数のミシン目が形成され、裏面に複数のクーポン券が切り離し可能に掲載されていることを特徴としている。
【００１５】
　また、請求項６記載の考案では、前記第１列目以外の表面と裏面には、前記主情報が掲載されていることを特徴としている。
【００１６】
　さらに、請求項７記載の考案では、前記折り畳みシートは、エンドレス状の帯部材で束ねられることを特徴としている。
【考案の効果】
【００１７】
　本考案に係る情報誌では、請求項１記載の考案によれば、シートには、シートの縦方向及び横方向にそれぞれ偶数の折り線を入れることによって、横方向に奇数列の折り片と縦方向に奇数行の折り片とが形成される。この折り線に沿って各折り片を順次折り畳むことによって短冊状に折り畳まれた折り畳みシートをコンパクトに形成することができ、しかも、表紙・裏表紙には発行元記載内容が掲載されることとなる。
【００１８】
　つまり、展開したシートの表面側角部と、表面側角部と対角状に配置する裏面側角部の折り片に発行元記載内容を予め印刷することによって、折り畳みシートの表面と裏面に発行元記載内容が現れることになるから、例えば、表面及び裏面に発行元の独自の絵やマークを掲載することができて、読者に一目で発行元を確認させることができるとともに、主情報は、折り畳みシートの内部に隠されていることから、開封することの楽しみを増加させることができる。
【００１９】
　請求項２記載の考案によれば、展開したシートはＢ２版のものを使用することから、表面と裏面とに印刷することによって、数多くの主情報を掲載できるとともに、横方向に９列、縦方向に３行の折り片に形成すれば、短冊状に折り畳まれた折り畳みシートは、Ｂ５版の約１／３となってコンパクトに形成することができ、手渡された通行者は、バッグあるいは背広のポケット等に収納することができることから、気軽に受け取ることができる。
【００２０】
　請求項３記載の考案によれば、請求項２記載の考案によりシートが横方向と縦方向が９列３行の折り片に分割されて、しかも横方向に折り畳まれた後、縦方向をＺ折りにすることによって、短冊状に折り畳まれた折り畳みシートの表面には、展開されたシートの表面の角部の折り片が現れ、裏表紙には、展開されたシートの表面の角部と対角上に位置する裏面の角部の折り片が現れることになるから、請求項１と同様に、展開したシートの表面側角部と、表面側角部と対角状に配置する裏面側角部の折り片に発行元記載内容を予め印刷することによって、折り畳みシートの表紙と裏表紙に発行元記載内容が現れることになるから、例えば、表面及び裏面に発行元の独自の絵やマークを掲載することができて、読者に一目で発行元を確認させることができるとともに、主情報は、折り畳みシートの内部に隠されていることから、開封することの楽しみを増加させることができる。
【００２１】
　請求項４乃至６記載の考案によれば、第１列目と第２列目との間には、ミシン目が形成されている。折り畳まれた状態の表紙を有する第１列目の表裏面には発行元記載内容や案内情報が掲載されて主情報は掲載されていないことから、表紙となる折り片の下方の折り片に、例えば、切り離し可能な複数のクーポン券を形成すれば、サービスを提供することができるとともに、クーポン券裏面には主情報を掲載していないことからクーポン券を自在に使用することができる。さらにクーポン券の形成される部位に縦・横複数のミシン目を形成すれば、複数のクーポン券を使用できることとなる。そして、主情報は、展開された情報誌の中央部及びその周りに形成されることとなって、広げてみて初めて情報を得ることとなる。
【００２２】
　従って、Ｂ２版のシートを広げてもそれほどスペースをとるものではなく、数多くの情報が掲載されていることになるから、新たな情報を知る楽しみを得ることができる。
【００２３】
　請求項７記載の考案によれば、折り畳まれた短冊状の情報誌は、エンドレス状の帯部材で束ねられていることから、手渡された折り畳み情報誌はばらばらになることはなく、歩行中に、小さな鞄や背広のポケットに収納できることから、男性でも受け取りやすい。しかも帯部材があることによって、情報誌を広げて中の主情報を早く確認したいという心理的作用を及ぼすことができる。
【考案を実施するための最良の形態】
【００２４】
　本考案の情報誌は、１枚のシートに数多くの情報を掲載してコンパクトに折り畳むようにするものであり、一実施例を図面に基づいて説明する。
【実施例１】
【００２５】
　図１〜３は、短冊状に折り畳まれた情報誌１を示すものであり、折り畳まれた情報誌(又は折り畳みシートとも言う)１は、帯部材５で束ねられている。図１は表紙１１を示し、図２は裏表紙１２を示している。この情報誌１は、図３に示すように、１枚のＢ２版シート１０の表面と裏面とに主情報と、主情報とは関連のない発行元記載内容又は案内情報が掲載されている。
【００２６】
　本考案で説明する「主情報」とは、主に、飲食関係やショッピング関係又は美容関係等の店舗及び地図であり、「発行元記載内容」は、発行元を示す名称やマークあるいは発行日等や発行元が連絡すべき事項が掲載されているものをいい、「案内情報」とは、主情報とは直接関連のない案内情報、つまり、アンケートや、クーポン券、あるいはプレゼント情報等のサービス関係の掲載内容をいう。
【００２７】
　図３において、破線部で示す折り線１３は縦方向に縦折り線１３ａとして８本、横方向に横折り線１３ｂとして２本形成され、それによって、横方向に９列、縦方向に３行の単一の短冊状折り片１４が形成されることとなる。表面の左上角部の折り片１４（第１列目の折り片列１４ａの最上列の折り片の表面）は、折り畳まれた情報誌の、表紙１１となり、表紙１１の対角状の折り片１４（最終列目の折り片１４ｎの最下列の折り片）の裏面は裏表紙１２となる。この表紙１１と裏表紙１２には、発行元記載内容を掲載して、配布する際に、発行元を知らせて安心させることができるとともに、日付を確認することによって最新の情報であるかを伝えることができる。
【００２８】
　図４に示すように、第１列目の折り片列１４ａと第２列目の折り片列１４ｂとの間の縦折り線１３ａにはミシン目１５が形成されていて切り離し可能となっている。さらに第１列目の折り片列１４ａの表紙１１となる折り片１４の下方の折り片１４は「案内情報」が掲載され、第１列目の折り片列１４ａの裏面は複数のクーポン券となっており、それぞれのクーポン券はミシン目１５で区切られていて、クーポン券が掲載されている第１列目の折り片列１４ａを第２列目の折り片列１４ｂから切り離しても、第２列目の折り片列１４ｂ以降に掲載された「主情報」が切り離されることがない。
【００２９】
　「主情報」は、裏表紙１２となる折り片１４を除く第２列目の折り片列１４ｂ以降の表面と裏面とに掲載されて、単一の折り片１４の一面には２店舗が示され、それぞれ店舗の欄には番号が付記されて、その番号が地図に掲載されている。
【００３０】
　上記のように掲載されたＢ２版のシートは、図５に示すように、まず、縦方向に形成された縦折り線１３ａに沿って山折り・谷折りを繰り返して折り畳む。その後、図６に示すように横方向の横折り線１３ｂに沿って、中央部の折り片１４に対して両側の折り片１４がそれぞれ逆方向に折り返してＺ状となるようなＺ折りをすることによって折り畳みシート１が形成され、図１に示すように、表紙１１と裏表紙１２とに「発行元記載内容」が現れるような短冊状の折り畳み情報誌１を形成することとなる。そして、紙で形成された帯部材５を長手方向に沿って挿入することによって、折り畳まれた状態を崩すことなく束ねることとなる。
【００３１】
　上記のように、本考案の情報誌１は、短冊状に折り畳むことによってコンパクトに構成されることから、街頭で情報誌１を配布する際に相手側は受け取りやすく、また折り畳んで携帯できることから、歩行中であっても、受け取った情報誌１を背広のポケットや小さなかばんでも収納できる。
【００３２】
　しかも、横方向に奇数列・縦方向に奇数行となる折り片１４を形成するように折り線１３を入れ、縦折り線１３ａに沿って横方向に折り畳んだ後、縦折り線１３ｂに沿って縦方向にＺ折りすることによって、折り畳まれた状態の情報誌１の表紙１１と裏表紙１２には、展開したシート１０における表面の角部の折り片１４と、その対角状に当たる裏面の角部の折り片１４が現れることとなり、表紙１１と裏表紙と１２に発行元がわかるような内容を記載することによって、受け取る側は、発行元を明確に認識することができて安心して受け取ることができる。
【００３３】
　そして、帯部材５で束ねてあることから、早く帯び部材を取り外したいという心理的作用が働き、情報を知ることによる楽しみを得ることができる。
【００３４】
　なお、本考案の情報誌は、上記の実施例に限定するものではなく、例えば、折り片は奇数行・奇数列であれば、９列３行でなくてもよく、シートがＢ２用紙版でなく、Ｂ１用紙版であってもよく、さらにＡ１、Ａ２用紙版であってもよい。また、ミシン目は、必要に応じて形成すればよく、その場合でも「主情報」は、切り離しする以外の折り片に掲載することが望ましい。
【図面の簡単な説明】
【００３５】
【図１】本考案の一形態による折り畳まれた情報誌の表紙を示す正面図である。
【図２】本考案の一形態による折り畳まれた情報誌の裏表紙を示す裏面図である。
【図３】図１による情報誌の展開したシートを示す正面図である。
【図４】図２におけるシートの第１列目の折り片列を示す裏面図である。
【図５】図２におけるシートを横方向に折り畳む状態を示す斜視図である。
【図６】図４によって折り畳まれたシートをＺ折りで折り畳む状態を示す斜視図である。
【図７】従来の情報誌を示す斜視図である。
【符号の説明】
【００３６】
　１　情報誌
　５　帯部材
　１０　シート
　１１　表紙
　１２　裏表紙
　１３　折り線
　１３ａ　縦折り線
　１３ｂ　横折り線
　１４　折り片
　１４ａ　第１列目の折り片列
　１４ｂ　第２列目の折り片列
　１５　ミシン目
【図１】
0003099325.tif 000003
【図２】
0003099325.tif 000004
【図３】
0003099325.tif 000005
【図４】
0003099325.tif 000006
【図５】
0003099325.tif 000007
【図６】
0003099325.tif 000008
【図７】
0003099325.tif 000009